(57)【要約】【課題】地震発生後に地震管制運転で停止しているエレベータにおいて、基準階（通常は１階）の戸開閉トルク・戸開閉時間点検運転を自動で実施し、異常がなければ、エレベータを地震管制モードから復帰させて、各階戸開閉診断運転モードにするエレベータの戸開閉異常監視装置を得る。【解決手段】地震発生後に地震管制運転で停止しているエレベータの戸開閉異常監視装置であって、正常時の戸開閉トルク又は戸開閉時間等を予め記憶しておき、地震発生後の戸開閉トルク又は戸開閉時間等と正常時のそれとを比較する戸開閉点検運転を実施し、基準階における戸開閉診断に異常がなければエレベータを地震管制モードから復帰させて、各階戸開閉診断運転モードにする。【選択図】図２
2007230685.tif 000002
【特許請求の範囲】
【請求項１】
地震発生後に地震管制運転で停止しているエレベータの戸開閉異常監視装置であって、
正常時の戸開閉トルク又は戸開閉時間等を予め記憶しておき、地震発生後の戸開閉トルク又は戸開閉時間等と正常時のそれとを比較する戸開閉点検運転を実施し、基準階における戸開閉診断に異常がなければエレベータを地震管制モードから復帰させて、各階戸開閉診断運転モードにすることを特徴とするエレベータの戸開閉異常監視装置。
【請求項２】
各階戸開閉診断運転モード中、エレベータの呼びが無い場合は、自動でエレベータのかごを戸開閉診断未実施の階に走行させて、戸開閉診断を行うことを特徴とする請求項１記載のエレベータの戸開閉異常監視装置。
【請求項３】
各階戸開閉診断運転モード中、エレベータの呼びがあった場合は、呼びに応答してエレベータのかごを呼びがあった階に走行させ、呼びがあった階が戸開閉診断未実施の際は戸開閉診断を行い、戸開閉診断を実施した階の場合は戸開閉診断を行わないことを特徴とする請求項１記載のエレベータの戸開閉異常監視装置。
【請求項４】
各階戸開閉診断運転を繰り返して全階正常と判断された場合は、各階戸開閉診断運転モードを解除し、エレベータを通常動作に復帰させることを特徴とする請求項１〜請求項３のいずれかに記載のエレベータの戸開閉異常監視装置。
【発明の詳細な説明】
【技術分野】
【０００１】
この発明は、地震発生後に地震管制運転で停止しているエレベータにおいて、基準階（通常は１階）の戸開閉に異常がないかどうかを診断し、異常がなければ、エレベータを地震管制モードから復帰させて、各階戸開閉診断運転モードにするエレベータの戸開閉異常監視装置に関するものである。
【背景技術】
【０００２】
従来、エレベータの戸開閉自動チェック装置においては、戸の開閉を制御する戸開閉制御装置と、乗りかごを所定の階に移動させ、戸開閉制御装置に戸開閉動作をさせ、戸開閉動作時間が所定の設定時間以上であった場合に当該階を戸開閉異常と判断するテスト手段と、テスト手段を予め設定された日時に実施させる起動手段とを備え、夜間等の利用客がいない予め予約された時間帯に、自動的に戸開閉動作をチェックするものが知られている（例えば、特許文献１参照）。
また、定められたプログラムに基づいて自動的に診断運転をするエレベータの自動診断装置において、診断内容を独立した複数の診断項目（例えば、戸開閉動作点検、ブレーキ保持力点検など）に分けて、可能な時に各々の診断項目毎に診断運転をするという従来技術が知られている（例えば、特許文献２参照）。
【０００３】
【特許文献１】特開２０００−２７２８５６号公報
【特許文献２】特開２００２−３１１５号公報
【発明の開示】
【発明が解決しようとする課題】
【０００４】
従来のエレベータの戸開閉自動チェック装置では、予め設定された時間帯に、自動的に戸開閉診断運転を実施しているが、地震発生後に地震管制運転で停止しているエレベータを如何様に戸開閉診断運転を実施し、如何にして自動復旧に結び付けるかという点についてまでは述べられていない。また、特許文献２に記載されたものも、例えば、戸開閉動作点検において、診断運転プログラムがエレベータ制御装置からの動作回数情報とインターバルが一致したと判断した場合には診断運転を開始するものであり、地震発生後に地震管制運転で停止しているエレベータを如何様に戸開閉診断運転を実施し、如何にして自動復旧に結び付けるかという点についてまでは述べられていない。
【０００５】
この発明は、上述のような課題を解決するためになされたもので、正常時の戸開閉トルク・戸開閉時間を予め記憶しておき、地震発生後に地震管制運転で停止しているエレベータにおいて、基準階（通常は１階）の戸開閉トルク・戸開閉時間点検運転を自動で実施し、異常がなければ、エレベータを地震管制モードから復帰させて、各階戸開閉診断運転モードにするエレベータの戸開閉異常監視装置を提供するものである。
【課題を解決するための手段】
【０００６】
この発明に係るエレベータの戸開閉異常監視装置においては、地震発生後に地震管制運転で停止しているエレベータの戸開閉異常監視装置であって、正常時の戸開閉トルク又は戸開閉時間等を予め記憶しておき、地震発生後の戸開閉トルク又は戸開閉時間等と正常時のそれとを比較する戸開閉点検運転を実施し、基準階における戸開閉診断に異常がなければエレベータを地震管制モードから復帰させて、各階戸開閉診断運転モードにするものである。
【０００７】
また、各階戸開閉診断運転モード中、エレベータの呼びが無い場合は、自動でエレベータのかごを戸開閉診断未実施の階に走行させて、戸開閉診断を行うものである。
【０００８】
また、各階戸開閉診断運転モード中、エレベータの呼びがあった場合は、呼びに応答してエレベータのかごを呼びがあった階に走行させ、呼びがあった階が戸開閉診断未実施の際は戸開閉診断を行い、戸開閉診断を実施した階の場合は戸開閉診断を行わないものである。
【０００９】
また、各階戸開閉診断運転を繰り返して全階正常と判断された場合は、各階戸開閉診断運転モードを解除し、エレベータを通常動作に復帰させるものである。
【発明の効果】
【００１０】
この発明によれば、地震発生後に地震管制運転で停止しているエレベータにおいて、エレベータの戸開閉の異常を検出し、全階で戸開閉正常と判断された場合は、各階戸開閉診断モードを解除し、通常動作へと移行することができる。また、基準階以外の階の戸開閉確認を自動復旧後に行うことで、復旧診断運転時間の大幅な短縮が見込まれるという効果がある。
【発明を実施するための最良の形態】
【００１１】
実施の形態１．
図１はこの発明の実施の形態１におけるエレベータの戸開閉異常監視装置を示すシステム構成図、図２はこの発明の実施の形態１におけるエレベータの戸開閉異常監視装置の動作を説明するためのフローチャートである。
【００１２】
図１において、１はエレベータの戸開閉制御装置、２はエレベータの制御盤、３は制御盤２内に設けられたエレベータ制御装置、４は巻上機、５はエレベータのかご、６はつり合いおもり、７は乗場ボタンである。予め戸開閉装置１にて戸の開閉診断に必要な正常時の数値（戸開閉トルク・戸開閉時間等）を測定するか、或いは戸開閉制御装置の機種毎に固有の数値を設定し、制御盤２内のエレベータ制御装置３に記憶しておくものである。
【００１３】
次に、地震発生後に地震管制運転で停止しているエレベータにおいて、エレベータの戸開閉の異常を検出し、正常なら通常動作に復帰させるために戸開閉診断を実施する場合の動作フローについて、図２により説明する。
予め戸開閉装置１にて戸の開閉診断に必要な正常時の数値、すなわち正常時の戸開閉トルク・戸開閉時間等を測定するか、或いは戸開閉制御装置の機種毎に固有の正常時の数値を設定し、制御盤２内のエレベータ制御装置３に記憶しておく。地震が発生すると、地震感知器（図示せず）が感知し（ステップＳ１）、地震管制運転が動作してかご５を最寄階に停止する（ステップＳ２）。その後、診断運転開始条件を満たした場合、エレベータ制御装置３から巻上機４に走行指令が伝わり、かご５を基準階（通常は１階）へ移動させる（ステップＳ３）。基準階で戸開閉診断運転を行い、戸開閉制御装置１にて戸開閉診断に必要な地震後の数値、すなわち地震後の戸開閉トルク・戸開閉時間等を測定し（ステップＳ４）、測定された地震後の戸開閉トルク・戸開閉時間等がエレベータ制御装置３に予め記憶されていた数値よりも増加していた場合は、戸開閉異常と判断し（ステップＳ５）、基準階が戸開閉異常と判断された場合は直ちにエレベータを走行できない状態にする（ステップＳ６）。しかし、ステップＳ５で基準階が戸開閉正常と判断された場合は、エレベータの地震管制モードから復帰（解除）させ、各階戸開閉診断モードに移行する（ステップＳ７）。これにより、自動復旧が可能となる。各階戸開閉診断モード中は、以下の条件で各階の戸開閉トルク・戸開閉時間の点検運転を自動で実施する。先ず、ステップＳ８でエレベータの呼び（乗場ボタン７が押されることで登録される乗場呼び及びかご内階床ボタンが押されることで登録されるかご呼び）があるか否かを判断する。呼び登録が無い場合は、自動でエレベータのかご５を戸開閉診断未実施階に走行させ（ステップＳ９）、戸開閉診断を実施する（ステップＳ１０）。ステップＳ１１で戸開閉診断正常と判断されると、次に、ステップＳ１２に進み全階戸開閉診断が実施済みか否かを判断し、全階戸開閉診断が実施済みとなるまで上記ステップＳ８〜Ｓ１２を繰り返し行うことになる。ステップＳ１２で全階戸開閉診断が実施され、全階正常と判断された場合は、各階戸開閉診断モードを解除し、通常動作へと移行する（ステップＳ１３）。ステップＳ１１で戸開閉診断異常と判断された場合は、戸開閉異常モード（例えば、エレベータを走行できない状態又は異常発生階のみ非停止状態）とする（ステップＳ１４）。
また、ステップＳ８でエレベータの呼び登録があった場合は、呼びに応答してエレベータのかご５を呼び登録階に走行させ（ステップＳ１５）、停止した登録階は戸開閉診断が実施済み階かあるか否かを判断する（ステップＳ１６）。ステップＳ１６で停止階が戸開閉診断未実施階であれば戸開診断を実施し（ステップＳ１７）、乗客の乗降を実施し（ステップＳ１８）、戸閉診断を実施した後（ステップＳ１９）、上記ステップＳ１１に進む。一方、ステップＳ１６で停止階が戸開閉診断実施済み階であれば戸開閉診断は行わないで戸開し（ステップＳ２０）、乗客の乗降を実施し（ステップＳ２１）、戸閉した後（ステップＳ２２）、ステップＳ８に戻る。
【００１４】
以上のように、地震発生後に地震管制運転で停止しているエレベータにおいて、エレベータの戸開閉の異常を検出し、全階で戸開閉正常と判断された場合は、各階戸開閉診断モードを解除し、通常動作へと移行することができる。また、基準階以外の階の戸開閉確認を自動復旧後に行うことで、復旧診断運転時間の大幅な短縮が見込まれるという効果がある。
【図面の簡単な説明】
【００１５】
【図１】この発明の実施の形態１におけるエレベータの戸開閉異常監視装置を示すシステム構成図である。
【図２】この発明の実施の形態１におけるエレベータの戸開閉異常監視装置の動作を説明するためのフローチャートである。
【符号の説明】
【００１６】
１  エレベータの戸開閉制御装置
２  エレベータの制御盤
３  エレベータ制御装置
４  巻上機
５  エレベータのかご
６  つり合いおもり
７  乗場ボタン
【図１】
2007230685.tif 000003
【図２】
2007230685.tif 000004